【手続補正書】
【提出日】平成24年10月17日(2012.10.17)
【手続補正１】
【補正対象書類名】明細書
【補正対象項目名】００１９
【補正方法】変更
【補正の内容】
【００１９】
【図１】第１の実施形態のテープ印刷装置を示す斜視図。
【図２】第１の実施形態のテープ印刷装置を示す斜視図。
【図３】テープ印刷装置の回路構成を示すブロック図。
【図４】テープ印刷装置の拡大印刷を行う際の表示部の画面を表す説明図であり、（ａ）は、文字列入力画面を表す説明図、（ｂ）は、ユーザーに拡大倍率を選択させる画面を表す説明図、（ｃ）は、テープ印刷装置に拡大印刷を実行させる画面を表す説明図。
【図５】拡大印刷処理を説明するためのフローチャート。
【図６】印刷画像についての説明図であり、（ａ）は、通常印刷画像の説明図、（ｂ）は、４倍拡大印刷画像の説明図。
【図７】印刷がなされたラベルを示す平面図であり、（ａ）は、通常印刷がなされたラベルの平面図、（ｂ）は、拡大印刷において余白に相当するテープ部分が印刷された場合のラベルの平面図、（ｃ）は、拡大印刷において余白に相当するテープ部分を印刷しないラベルの平面図。
【図８】第２の実施形態に係る拡大印刷処理を説明するためのフローチャート。
【図９】余白テープ部分が削除された拡大印刷画像についての説明図。
【手続補正２】
【補正対象書類名】明細書
【補正対象項目名】００３４
【補正方法】変更
【補正の内容】
【００３４】
入力インターフェイス３５には、キーボード１１および識別センサー１９が接続されている。ユーザーによりキーボード１１が操作されると、キーボード１１は、この操作を受け付けて、操作されたキーに対応するキー情報を、入力インターフェイス３５を介してＣＰＵ３１に出力する。また、識別センサー１９は、凹部１３に装着されたテープカートリッジ２のテープ種別に応じた識別情報（テープ幅の情報を含む）を、入力インターフェイス３５を介してＣＰＵ３１に出力する。
【手続補正３】
【補正対象書類名】明細書
【補正対象項目名】００４０
【補正方法】変更
【補正の内容】
【００４０】
次に、拡大印刷について説明する。まず、拡大印刷を行う際の操作と画面表示について説明する。
図４は、テープ印刷装置１の拡大印刷を行う際の表示部１２の画面を表す説明図であり、図４（ａ）は、文字列入力画面を表す説明図であり、図４（ｂ）は、ユーザーに拡大倍率を選択させる画面を表す説明図であり、図４（ｃ）は、テープ印刷装置に拡大印刷を実行させる画面を表す説明図である。
【手続補正４】
【補正対象書類名】明細書
【補正対象項目名】００４１
【補正方法】変更
【補正の内容】
【００４１】
図４（ａ）は、ユーザーに文字列を入力させる文字列入力画面Ｇ１である。文字列入力画面Ｇ１には、行番号を表す記号、およびユーザーによって入力された文字列が表示されている。文字列入力画面Ｇ１において、キーボード１１に備わる拡大印刷キーが押下されると、拡大印刷における拡大倍率をユーザーに選択させる拡大倍率選択画面が表示される。
【手続補正５】
【補正対象書類名】明細書
【補正対象項目名】００４５
【補正方法】変更
【補正の内容】
【００４５】
ユーザーによって拡大印刷が実行されると、制御部３０は、識別センサー１９からの情報に基づいて、凹部１３に装着されたテープカートリッジ２のテープ幅を検出する（ステップＳ１０１）。そして、制御部３０は、レイアウト算出プログラム３３ａを実行することによって、拡大レイアウト情報を算出する（ステップＳ１０２）。具体的には、テープ幅、拡大倍率、入力された文字や図形とその大きさの設定情報、文字や図形に対する装飾の設定情報等に基づき、拡大印刷画像における文字や図形の配置座標を算出する。このときの制御部３０がレイアウト算出部に相当する。
【手続補正６】
【補正対象書類名】明細書
【補正対象項目名】００５８
【補正方法】変更
【補正の内容】
【００５８】
（２）テープ印刷装置１では、拡大印刷において、テープ幅Ｗが狭いテープカートリッジ２を使用する場合に、上側余白Ｔｍや下側余白Ｂｍがテープ幅Ｗ以上となる可能性が高くなる。よって、テープ幅Ｗが狭いテープカートリッジ２を使用する場合に、テープＴの使用量の削減の効果が高まる。つまり、限られた幅のテープカートリッジ２を用いて拡大印刷を行う場合において、テープＴの使用量を削減することができる。
【手続補正７】
【補正対象書類名】明細書
【補正対象項目名】００５９
【補正方法】変更
【補正の内容】
【００５９】
（３）テープ印刷装置１では、テープ幅Ｗに対して小さな文字や図形を拡大印刷させる場合に、上側余白Ｔｍや下側余白Ｂｍがテープ幅Ｗ以上となる可能性が高くなる。よって、テープＴの使用量の削減の効果が高まる。
【手続補正８】
【補正対象書類名】明細書
【補正対象項目名】００６４
【補正方法】変更
【補正の内容】
【００６４】
ユーザーによって拡大印刷が実行されると、制御部３０は、識別センサー１９からの情報に基づいて、凹部１３に装着されたテープカートリッジ２のテープ幅を検出する（ステップＳ２０１）。そして、制御部３０は、レイアウト算出プログラム３３ａを実行することによって、第１の拡大レイアウト情報を算出する（ステップＳ２０２）。具体的には、テープ幅、拡大倍率、入力された文字や図形とその大きさの設定情報、文字や図形に対する装飾の設定情報等に基づき、拡大印刷画像における文字や図形の配置座標を算出する。このときの制御部３０が第１レイアウト算出部に相当する。
【手続補正９】
【補正対象書類名】明細書
【補正対象項目名】００６８
【補正方法】変更
【補正の内容】
【００６８】
制御部３０は、上側余白削除フラグおよび下側余白削除フラグを確認し、削除可能な余白があるか否かを判断する（ステップＳ２０９）。削除可能な余白がある場合（ステップＳ２０９：ＹＥＳ）、制御部３０は、レイアウト算出プログラム３３ａを実行することによって、第１の拡大レイアウト情報から削除可能な余白に相当するテープ部分を除いた第２の拡大レイアウト情報を算出する（ステップＳ２１０）。具体的には、第１の拡大レイアウト情報から、削除可能な上側余白Ｔｍに相当するテープ部分のテープ幅Ｗ、および削除可能な下側余白Ｂｍに相当するテープ部分のテープ幅Ｗを削除した拡大レイアウト情報を算出する。このときの制御部３０が第２レイアウト算出部に相当する。
削除可能な余白がない場合（ステップＳ２０９：ＮＯ）、制御部３０は、ステップＳ２１０の処理は行わない。
【手続補正１０】
【補正対象書類名】明細書
【補正対象項目名】００７６
【補正方法】変更
【補正の内容】
【００７６】
（変形例１）上記実施形態では、拡大印刷の際の上側余白Ｔｍや下側余白Ｂｍがテープ幅Ｗ以上の場合、上側および下側のテープ部分の１枚分を削除して印刷する場合について説明したが、上側余白Ｔｍや下側余白Ｂｍがテープ幅Ｗのｎ倍（ｎ≧１）以上である場合には、上側および下側のテープ部分のｎ枚分を削除して印刷してもよい。こうすれば、テープＴの使用量をさらに削減することができる。
【手続補正１１】
【補正対象書類名】特許請求の範囲
【補正対象項目名】全文
【補正方法】変更
【補正の内容】
【特許請求の範囲】
【請求項１】
長尺状のテープのテープ幅より大きな拡大印刷画像を複数に分割して複数のテープ部分に順次印刷し、印刷により形成された複数の印刷ラベルをテープ幅方向に並設することによって前記拡大印刷画像を形成させる拡大印刷機能を有するテープ印刷装置であって、
前記テープ幅を検出するテープ幅検出部と、
前記拡大印刷画像を構成する文字や図形の配置を示す拡大レイアウト情報を算出するレイアウト算出部と、
前記レイアウト算出部が算出した前記拡大レイアウト情報に基づいて、前記拡大印刷画像のテープ幅方向の上側余白および下側余白の幅を算出し、それぞれの幅が前記テープ幅以上か否かを判断する余白判断部と、
前記拡大レイアウト情報に基づいて前記拡大印刷画像の画像データを生成する画像データ生成部と、
前記余白判断部の判断結果に基づいて、前記テープ幅以上となっている余白に相当するテープ部分を除いて、前記拡大印刷画像の画像データを１または複数のテープ部分に順次印刷する印刷部と、
を備えることを特徴とするテープ印刷装置。
【請求項２】
請求項１に記載のテープ印刷装置であって、
前記余白判断部が、前記拡大印刷画像のテープ幅方向の上側余白および下側余白の幅が、それぞれ前記テープ幅のｎ倍（ｎは１以上の整数）であると判断した場合、
前記印刷部は、前記テープ幅の余白に相当するｎ枚分のテープ部分を除いて、前記拡大印刷画像の画像データを１または複数のテープ部分に順次印刷することを特徴とするテープ印刷装置。
【請求項３】
長尺状のテープのテープ幅より大きな拡大印刷画像を複数に分割して複数のテープ部分に順次印刷し、印刷により形成された複数の印刷ラベルをテープ幅方向に並設することによって前記拡大印刷画像を形成させる拡大印刷機能を有するテープ印刷装置であって、
前記テープ幅を検出するテープ幅検出部と、
前記拡大印刷画像を構成する文字や図形の配置を示す第１の拡大レイアウト情報を算出する第１レイアウト算出部と、
前記第１のレイアウト算出部が算出した前記第１の拡大レイアウト情報に基づいて、前記拡大印刷画像のテープ幅方向の上側余白および下側余白の幅を算出し、それぞれの幅が前記テープ幅以上か否かを判断する余白判断部と、
前記余白判断部の判断結果に基づいて、前記第１の拡大レイアウト情報から、前記テープ幅以上となっている余白に相当するテープ幅分の印刷画像部分を除いた第２の拡大レイアウト情報を算出する第２レイアウト算出部と、
前記第２レイアウト算出部が算出した前記第２の拡大レイアウト情報に基づいて、拡大印刷画像の画像データを生成する画像データ生成部と、
前記拡大印刷画像の画像データを１または複数のテープ部分に順次印刷する印刷部と、を備えることを特徴とするテープ印刷装置。
【請求項４】
長尺状のテープのテープ幅より大きな拡大印刷画像を複数に分割して複数のテープ部分に順次印刷し、印刷により形成された複数の印刷ラベルをテープ幅方向に並設することによって前記拡大印刷画像を形成させる拡大印刷機能を有するテープ印刷装置の制御方法であって、
前記テープ幅を検出するテープ幅検出ステップと、
前記拡大印刷画像を構成する文字や図形の配置を示す拡大レイアウト情報を算出するレイアウト算出ステップと、
前記レイアウト算出ステップによって算出された前記拡大レイアウト情報に基づいて、前記拡大印刷画像のテープ幅方向の上側余白および下側余白の幅を算出し、それぞれの余白の幅が前記テープ幅以上か否かを判断する余白判断ステップと、
前記拡大レイアウト情報に基づいて前記拡大印刷画像の画像データを生成する画像データ生成ステップと、
前記余白判断ステップによる判断結果に基づいて、前記テープ幅以上となっている余白に相当するテープ部分を除いて、前記拡大印刷画像の画像データを１または複数のテープ部分に順次印刷する印刷ステップと、
を備えることを特徴とするテープ印刷装置の制御方法。
【請求項５】
長尺状のテープのテープ幅より大きな拡大印刷画像を複数に分割して複数のテープ部分に順次印刷し、印刷により形成された複数の印刷ラベルをテープ幅方向に並設することによって前記拡大印刷画像を形成させる拡大印刷機能を有するテープ印刷装置の制御方法であって、
前記テープ幅を検出するテープ幅検出ステップと、
前記拡大印刷画像を構成する文字や図形の配置を示す第１の拡大レイアウト情報を算出する第１レイアウト算出ステップと、
前記第１レイアウト算出ステップによって算出された前記第１の拡大レイアウト情報に基づいて、前記拡大印刷画像のテープ幅方向の上側余白および下側余白の幅を算出し、それぞれの幅が前記テープ幅以上か否かを判断する余白判断ステップと、
前記余白判断ステップによる判断結果に基づいて、前記第１の拡大レイアウト情報から、前記テープ幅以上となっている余白に相当するテープ幅分の印刷画像部分を除いた第２の拡大レイアウト情報を算出する第２レイアウト算出ステップと、
前記第２レイアウト算出ステップにより算出された前記第２の拡大レイアウト情報に基づいて、拡大印刷画像の画像データを生成する画像データ生成ステップと、
前記拡大印刷画像の画像データを１または複数のテープ部分に順次印刷する印刷ステップと、
を備えることを特徴とするテープ印刷装置の制御方法。
【請求項６】
コンピューターに、請求項４に記載のテープ印刷装置の制御方法における各ステップを実行させるためのプログラム。
【請求項７】
コンピューターに、請求項５に記載のテープ印刷装置の制御方法における各ステップを実行させるためのプログラム。
【手続補正１２】
【補正対象書類名】図面
【補正対象項目名】図８
【補正方法】変更
【補正の内容】
【図８】
2011189534.tif 000001